(57)【要約】      （修正有）【課題】風鈴のバリエーションを増やすため、風を受けて回るプロペラが風鈴を鳴らす装置を提供する。【解決手段】アーム１はＣ字形の形体に加工して、鐘７の上部に取り付け、鐘７と回転部サルカン２、プロペラ３、プロペラ軸４、舌６を支える。回転部２、３、４、６は、サルカン２（釣り具等で使うもの）、プロペラ軸４、プロペラ３、舌６（金属製又はガラス製のもの）、で構成する。回転部の軸となるプロペラ軸４は上部をサルカン２によってアーム１と固定し、その下にプロペラ３を取り付け、鐘７の上部に開いた直径２ｍｍ〜３ｍｍ程の穴を通し鐘の内部に至り、Ｌ字形に曲げてその先に舌６を吊り下げる。舌６は、プロペラ３が受けた風の力により回り、鐘７の下部にあいた穴８の渕と擦れ音を鳴らす。鐘７は、内部から上部２〜３ｍｍの穴にかけて突き出したピン５、によりアーム１と固定する。【選択図】図１
0003165360.tif 000002
【実用新案登録請求の範囲】
【請求項１】
プロペラの回転によって風鈴を鳴らすための、プロペラ部分を含む装置。
【請求項２】
回転によって「舌」と「鐘」を擦って音を鳴らす請求項１の風鈴。
【考案の詳細な説明】
【技術分野】
【０００１】本発明は風を受けて回るプロペラが風鈴を鳴らすための装置に関するものである。
【背景技術】
【０００２】従来の風鈴はガラスや金属等で作られた鐘の形又は銅鐸の形をしているものの中に「舌」と呼ばれる部品が吊り下げられている。「舌」にはさらに糸を通して風を受けるための短冊等が吊り下げられ、短冊が風を受けると舌が鐘に当たり音を鳴らして涼を楽しむものである。
【考案の開示】
【考案が解決しようとする課題】
【０００３】  しかし、従来の風鈴では短冊等の鐘から吊るしたものを風で揺らし、舌と鐘をぶつけて音を鳴らす方法が主だったため、風鈴自体の基本的な形体が限られていた。そこで本発明は、新たな風鈴の形体のバリエーションを増やす事を課題とする。
【課題を解決するための手段】
【０００４】上記課題を解決するために、請求項１の「プロペラの回転によって風鈴を鳴らすための、プロペラ部分を含む装置」は、今まで短冊で風を受けて舌をゆらしていた所を、プロペラで風を受け連動した舌の回転によって鐘と舌を擦り、音を鳴らす構造にした。
【考案の効果】
【０００５】  本発明は次の様な効果を奏する。
請求項１に記載されている発明はプロペラで舌を回転し鐘を鳴らす構造になっているので、風鈴の形体のバリエーションを増やす事が出来る。これによって、今までは「和」のイメージが強かった風鈴に、新たなイメージでデザインする事が出来る。和風建築が減った日本の中で、マンションやオフィスにインテリアとして用いる事も可能になった。
【発明を実施するための裁量形態】
【０００６】  以下、図１、により本発明について説明する。本発明の風鈴は大きく分けて、鐘７（金属製、ガラス製のもの）、１アーム、回転部２、３、４、６の３つの要素から成っている。
【０００７】アーム１は図１のようにＣ字形の形体に加工して、鐘７の上部に取り付け、鐘７と回転部サルカン２、プロペラ３、プロペラ軸４、舌６を支えている。
【０００８】回転部２、３、４、６は、サルカン２（釣り具等で使うもの）、プロペラ軸４、プロペラ（羽）３、舌６（金属製又はガラス製のもの）、で構成されている。
【０００９】回転部は自然風によるごく弱い風でも回転する必要があるのでよけいな摩擦がかからない様にしなければ行けないので回転部の軸となるプロペラ軸４は上部をサルカン２によってアー  ム１と固定し、その下にプロペラ３を取り付け、鐘７の上部に開いた直径２ｍｍ〜３ｍｍ程の穴を通し鐘の内部に至り、Ｌ字形に曲げてその先に舌６を吊り下げている。
【００１０】  舌６は、プロペラ３が受けた風の力により回り、鐘７の下部にあいた穴８の渕と擦れ音を鳴らす。
【００１１】  鐘７は、内部から上部２〜３ｍｍの穴にかけて突き出したピン５、によりアーム１と固定されている。
【００１２】また発展系の形体として、鐘７の下部にプロペラが付く形や、鐘７の側面にプロペラが取り付けられる形体も作る事が出来る。
【００１３】窓辺、軒下等自然風が吹き抜ける場所に取り付け使用する。
【図面の簡単な説明】
【図１】  本発明を横から見た外観図
【符号の説明】１    アーム
２    サルカン
３    プロペラ
４    プロペラ軸
５    ピン
６    舌
７    鐘
８    鐘の下部にあいた穴
【図１】
0003165360.tif 000003
【手続補正書】
【提出日】平成22年10月20日(2010.10.20)
【手続補正２】
【補正対象書類名】実用新案登録請求の範囲
【補正対象項目名】全文
【補正方法】変更
【補正の内容】
【実用新案登録請求の範囲】
【請求項１】
アームによって吊り下げられたプロペラの回転によってプロペラ軸の先に取り付けられた舌に回転運動を与え、同じくアームによって吊り下げられた鐘と舌を擦って音を鳴らす風鈴。
【手続補正３】
【補正対象書類名】明細書
【補正対象項目名】全文
【補正方法】変更
【補正の内容】
【考案の詳細な説明】
【技術分野】
【０００１】  本発明は風を受けて回るプロペラが風鈴を鳴らすための装置に関するものである。
【背景技術】
【０００２】従来の風鈴はガラスや金属等で作られた鐘の形又は銅鐸の形をしているものの中に「舌」と呼ばれる部品が吊り下げられている。「舌」にはさらに糸を通して風を受けるための短冊等が吊り下げられ、短冊が風を受けると舌が鐘に当たり音を鳴らして涼を楽しむものである。
【考案の開示】
【考案が解決しようとする課題】
【０００３】  しかし、従来の風鈴では短冊等の鐘から吊るしたものを風で揺らし、舌と鐘をぶつけて音を鳴らす方法が主だったため、風鈴自体の基本的な形体が限られていた。そこで本発明は、新たな風鈴の形体のバリエーションを増やす事を課題とする。
【課題を解決するための手段】
【０００４】上記課題を解決するために、請求項１の「アームによって吊り下げられたプロペラの回転によってプロペラ軸の先に取り付けられた舌に回転運動を与え、同じくアームによって吊り下げられた鐘と舌を擦って音を鳴らす風鈴。」は、今まで短冊で風を受けて舌をゆらしていた所を、プロペラで風を受け連動した舌の回転によって鐘と舌を擦り、音を鳴らす構造にした。
【考案の効果】
【０００５】  本発明は次の様な効果を奏する。
請求項１に記載されている発明はプロペラで舌を回転し鐘を鳴らす構造になっているので、風鈴の形体のバリエーションを増やす事が出来る。これによって、今までは「和」のイメージが強かった風鈴に、新たなイメージでデザインする事が出来る。和風建築が減った日本の中で、マンションやオフィスにインテリアとして用いる事も可能になった。
【発明を実施するための裁量形態】
【０００６】  以下、図１、により本発明について説明する。本発明の風鈴は大きく分けて、鐘７（金属製、ガラス製のもの）、１アーム、回転部２、３、４、６の３つの要素から成っている。
【０００７】アーム１は図１のようにＣ字形の形体に加工して、鐘７の上部に取り付け、鐘７と回転部サルカン２、プロペラ３、プロペラ軸４、舌６を支えている。
【０００８】回転部２、３、４、６は、サルカン２（釣り具等で使うもの）、プロペラ軸４、プロペラ（羽）３、舌６（金属製又はガラス製のもの）、で構成されている。
【０００９】回転部は自然風によるごく弱い風でも回転する必要があるのでよけいな摩擦がかからない様にしなければ行けないので回転部の軸となるプロペラ軸４は上部をサルカン２によってアーム１と固定し、その下にプロペラ３を取り付け、鐘７の上部に開いた直径２ｍｍ〜３ｍｍ程の穴を通し鐘の内部に至り、Ｌ字形に曲げてその先に舌６を吊り下げている。
【００１０】  舌６は、プロペラ３が受けた風の力により回り、鐘７の下部にあいた穴８の渕と擦れ音を鳴らす。
【００１１】  鐘７は、内部から上部２〜３ｍｍの穴にかけて突き出したピン５、によりアーム１と固定されている。
【００１２】また発展系の形体として、鐘７の下部にプロペラが付く形や、鐘７の側面にプロペラが取り付けられる形体も作る事が出来る。
【００１３】窓辺、軒下等自然風が吹き抜ける場所に取り付け使用する。
【図面の簡単な説明】
【００１４】
【図１】本発明を横から見た外観図
【図２】本発明を上から見た外観図
【符号の説明】
【００１５】１    アーム
２    サルカン
３    プロペラ
４  プロペラ軸
５    ピン
６    舌
７    鐘
８    鐘の下部にあいた穴
【手続補正４】
【補正対象書類名】図面
【補正対象項目名】全図
【補正方法】変更
【補正の内容】
【図１】
0003165360.tif 000004
【図２】
0003165360.tif 000005